【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
遊技媒体を貯留可能な遊技媒体貯留手段と、該遊技媒体貯留手段に貯留される遊技媒体を用いて遊技を行うことで付与条件が成立したときに、該付与条件に対応する所定数の遊技媒体を前記遊技媒体貯留手段に払い出す付与手段とを有する遊技機に１対１に対応して設けられた装置であって、前記遊技媒体貯留手段から遊技に使用されることなく排出された遊技媒体数を計数する遊技用装置と、遊技機に関する情報を管理する遊技用管理装置とを含む遊技用システムであって、
前記付与手段により払い出された遊技媒体数である付与遊技媒体数を特定するための第１特定手段と、
前記付与条件とは異なる供給条件の成立に応じて前記遊技媒体貯留手段に払い出された遊技媒体数である供給遊技媒体数を特定するための第２特定手段と、
前記遊技媒体貯留手段から遊技に使用された遊技媒体数である使用遊技媒体数を特定するための第３特定手段と、
前記遊技用装置で計数された遊技媒体数である獲得遊技媒体数を特定するための第４特定手段と、
前記遊技機にて遊技者が遊技していないことに基づく第１所定条件の成立時からの経過時間を計時する経過時間計時手段と、
前記経過時間計時手段により計時される経過時間が所定の経過期間となるまでに前記遊技機にて遊技者が遊技していることに基づく第２所定条件が成立したか否かを判定する判定手段と、
前記判定手段にて、前記経過時間計時手段により計時される経過時間が所定の経過期間となるまでに前記第２所定条件が成立していないと判定されたときに、前記第１特定手段にて特定された付与遊技媒体数と前記第２特定手段にて特定された供給遊技媒体数との合計数と、前記第３特定手段にて特定された使用遊技媒体数と前記第４特定手段にて特定された獲得遊技媒体数との合計数と、の差である差遊技媒体数が予め定められた差よりも大きいことを条件に、当該遊技用装置に対応する前記遊技機が整理対象台である旨を報知する報知手段と、
前記判定手段にて、前記経過時間計時手段により計時される経過時間が所定の経過期間となるまでに前記第２所定条件が成立したと判定されたときに、前記経過時間計時手段により計時される経過時間をリセットするリセット手段と、
を備えることを特徴とする遊技用システム。
【請求項２】
遊技媒体を貯留可能な遊技媒体貯留手段と、該遊技媒体貯留手段に貯留される遊技媒体を用いて遊技を行うことで付与条件が成立したときに、該付与条件に対応する所定数の遊技媒体を前記遊技媒体貯留手段に払い出す付与手段とを有する遊技機に１対１に対応して設けられ、前記遊技媒体貯留手段から遊技に使用されることなく排出された遊技媒体数を計数する遊技用装置であって、
前記計数した遊技媒体数である獲得遊技媒体数を特定するための獲得遊技媒体数特定手段と、
前記付与手段により払い出された遊技媒体数である付与遊技媒体数を特定可能な情報を入力するための付与遊技媒体数情報入力手段と、
前記付与条件とは異なる供給条件の成立に応じて前記遊技媒体貯留手段に払い出された遊技媒体数である供給遊技媒体数を特定可能な情報を入力するための供給遊技媒体数情報入力手段と、
前記遊技媒体貯留手段から遊技に使用された遊技媒体数である使用遊技媒体数を特定可能な情報を入力するための使用遊技媒体数情報入力手段と、
前記遊技機にて遊技者が遊技していないことに基づく第１所定条件の成立時からの経過時間を計時する経過時間計時手段と、
前記経過時間計時手段により計時される経過時間が所定の経過期間となるまでに前記遊技機にて遊技者が遊技していることに基づく第２所定条件が成立したか否かを判定する判定手段と、
前記判定手段にて、前記経過時間計時手段により計時される経過時間が所定の経過期間となるまでに前記第２所定条件が成立していないと判定されたときに、前記付与遊技媒体数情報入力手段に入力された情報から特定される付与遊技媒体数と前記供給遊技媒体数情報入力手段に入力された情報から特定される供給遊技媒体数との合計数と、使用遊技媒体数情報入力手段に入力された情報から特定される使用遊技媒体数と前記獲得遊技媒体数特定手段にて特定された獲得遊技媒体数との合計数と、の差である差遊技媒体数が予め定められた差よりも大きいことを条件に、対応する前記遊技機が整理対象台である旨を報知するための出力処理を行う報知出力処理手段と、
前記判定手段にて、前記経過時間計時手段により計時される経過時間が所定の経過期間となるまでに前記第２所定条件が成立したと判定されたときに、前記経過時間計時手段により計時される経過時間をリセットするリセット手段と、
を備えることを特徴とする遊技用装置。
【請求項３】
遊技媒体を貯留可能な遊技媒体貯留手段と、該遊技媒体貯留手段に貯留される遊技媒体を用いて遊技を行うことで付与条件が成立したときに、該付与条件に対応する所定数の遊技媒体を前記遊技媒体貯留手段に払い出す付与手段とを有する遊技機に関する情報を管理する遊技用管理装置であって、
遊技機に１対１に対応して設けられた遊技用装置にて計数され、前記遊技媒体貯留手段から遊技に使用されることなく排出された遊技媒体数である獲得遊技媒体数を特定可能な情報を入力するための獲得遊技媒体数情報入力手段と、
前記付与手段により払い出された遊技媒体数である付与遊技媒体数を特定可能な情報を入力するための付与遊技媒体数情報入力手段と、
前記付与条件とは異なる供給条件の成立に応じて前記遊技媒体貯留手段に払い出された遊技媒体数である供給遊技媒体数を特定可能な情報を入力するための供給遊技媒体数情報入力手段と、
前記遊技媒体貯留手段から遊技に使用された遊技媒体数である使用遊技媒体数を特定可能な情報を入力するための使用遊技媒体数情報入力手段と、
前記遊技機にて遊技者が遊技していないことに基づく第１所定条件の成立時からの経過時間を計時する経過時間計時手段と、
前記経過時間計時手段により計時される経過時間が所定の経過期間となるまでに前記遊技機にて遊技者が遊技していることに基づく第２所定条件が成立したか否かを判定する判定手段と、
前記判定手段にて、前記経過時間計時手段により計時される経過時間が所定の経過期間となるまでに前記第２所定条件が成立していないと判定されたときに、前記付与遊技媒体数情報入力手段に入力された情報から特定される付与遊技媒体数と前記供給遊技媒体数情報入力手段に入力された情報から特定される供給遊技媒体数との合計数と、前記使用遊技媒体数情報入力手段に入力された情報から特定される使用遊技媒体数と前記獲得遊技媒体数情報入力手段に入力された情報から特定される獲得遊技媒体数との合計数と、の差である差遊技媒体数が予め定められた差よりも大きいことを条件に、当該遊技用装置に対応する前記遊技機が整理対象台である旨を報知するための出力処理を行う報知出力処理手段と、
前記判定手段にて、前記経過時間計時手段により計時される経過時間が所定の経過期間となるまでに前記第２所定条件が成立したと判定されたときに、前記経過時間計時手段により計時される経過時間をリセットするリセット手段と、
を備えることを特徴とする遊技用管理装置。
【請求項４】
所定期間における前記所定の経過期間を設定するための経過期間設定手段を備えることを特徴とする請求項１に記載の遊技用システム。
【請求項５】
所定期間における前記所定の経過期間を設定するための経過期間設定手段を備えることを特徴とする請求項２に記載の遊技用装置。
【請求項６】
所定期間における前記所定の経過期間を設定するための経過期間設定手段を備えることを特徴とする請求項３に記載の遊技用管理装置。
【請求項７】
前記遊技用装置は、前記遊技媒体貯留手段の下方に配置されるユニットであって、前記遊技媒体貯留手段から遊技に使用されることなく排出された遊技媒体が投入される投入部と、前記投入部に投入された遊技媒体を計数手段に誘導する計数通路と、前記供給条件の成立に応じて前記遊技媒体貯留手段に払い出される払出単位数よりも少ない端数の遊技媒体を払い出す端数払出処理手段から払い出された端数の遊技媒体を返却貯留部に誘導する返却通路と、を有する連結ユニットをさらに備えることを特徴とする請求項２または５に記載の遊技用装置。
【請求項８】
前記遊技用装置は、
前記計数された獲得遊技媒体数または遊技者が所有する遊技媒体の貸出に使用可能な貸出用価値の少なくとも一方から成る価値であって、前記遊技媒体貯留手段への遊技媒体の払い出しに使用可能な遊技用価値を記憶するための遊技用価値記憶手段と、
前記遊技用価値記憶手段に記憶されている遊技用価値が存在することを前記供給条件として、該遊技用価値の少なくとも一部を対応する前記遊技機の前記遊技媒体貯留手段に払い出すための供給処理と、前記遊技用価値記憶手段に記憶されている遊技用価値から該払い出しに使用した遊技用価値を減算更新する減算更新処理と、を行う供給手段と、
前記遊技用価値記憶手段に記憶されている遊技用価値を特定可能であって、個々の記録媒体を識別可能な記録媒体識別情報が記録された記録媒体を排出する記録媒体排出手段と、
前記記録媒体を受付けて該記録媒体の記録媒体識別情報を少なくとも読み出すとともに、該受付けた記録媒体から特定される遊技用価値を前記遊技用価値記憶手段に記憶する記録媒体処理手段と、
を備え、
前記遊技用装置における新たな記録媒体の受付けに応じて前記記録媒体処理手段にて読み出された記録媒体識別情報に基づいて、該記録媒体識別情報が記録された記録媒体を最後に排出した遊技用装置を特定する遊技用装置特定手段と、
前記遊技用装置特定手段にて特定された遊技用装置に対応する遊技機の前記差遊技媒体数が予め定められた差よりも大きいか否かを判定する掛け持ち判定手段と、
を備えることを特徴とする請求項１または４に記載の遊技用システム。
【請求項９】
前記遊技用装置は、前記計数された獲得遊技媒体数または遊技者が所有する遊技媒体の貸出に使用可能な貸出用価値の少なくとも一方から成る価値であって、前記遊技媒体貯留手段への遊技媒体の払い出しに使用可能な遊技用価値を特定可能であって、個々の記録媒体を識別可能な記録媒体識別情報が記録された記録媒体を排出するとともに、排出された記録媒体を受付けて該記録媒体の記録媒体識別情報を少なくとも読み出し、
前記遊技用装置にて前記記録媒体から読み出された記録媒体識別情報を該記録媒体の受付けに応じて入力するための記録媒体識別情報入力手段と、
前記記録媒体識別情報入力手段から入力される記録媒体識別情報に基づいて、該記録媒体識別情報が記録された記録媒体を最後に排出した遊技用装置を特定する遊技用装置特定手段と、
前記遊技用装置特定手段にて特定された遊技用装置に対応する遊技機の前記差遊技媒体数が予め定められた差よりも大きいか否かを判定する掛け持ち判定処理を行う掛け持ち判定処理手段と、
を備えることを特徴とする請求項３または６に記載の遊技用管理装置。
【手続補正２】
【補正対象書類名】明細書
【補正対象項目名】０００６
【補正方法】変更
【補正の内容】
【０００６】
前記課題を解決するために、本発明の請求項１に記載の遊技用システムは、
遊技媒体（パチンコ玉）を貯留可能な遊技媒体貯留手段（上皿２３、下皿２４）と、該遊技媒体貯留手段に貯留される遊技媒体を用いて遊技を行うことで付与条件（入賞）が成立したときに、該付与条件に対応する所定数の遊技媒体（賞球）を前記遊技媒体貯留手段に払い出す付与手段（玉切り払い出し装置）とを有する遊技機（パチンコ機２）に１対１に対応して設けられた装置であって、前記遊技媒体貯留手段から遊技に使用されることなく排出された遊技媒体数（獲得玉数）を計数する遊技用装置（カードユニット３）と、遊技機に関する情報を管理する遊技用管理装置とを含む遊技用システムであって、
前記付与手段により払い出された遊技媒体数である付与遊技媒体数（総賞球玉数）を特定するための第１特定手段（カードユニット３；玉情報テーブル、台端末５；玉数管理テーブル）と、
前記付与条件とは異なる供給条件の成立（プリペイド残額、貯玉数、持玉数（計数済玉数）のいずれかの遊技用価値が存在すること）に応じて前記遊技媒体貯留手段に払い出された遊技媒体数である供給遊技媒体数（総貸出玉数と総返却玉数と総払出玉数との合計Ａ）を特定するための第２特定手段（カードユニット３；玉情報テーブル、台端末５；玉数管理テーブル）と、
前記遊技媒体貯留手段から遊技に使用された遊技媒体数である使用遊技媒体数を特定するための第３特定手段（カードユニット３；玉情報テーブル、台端末５；玉数管理テーブル）と、
前記遊技用装置で計数された遊技媒体数である獲得遊技媒体数（総計数玉数）を特定するための第４特定手段（カードユニット３；玉情報テーブル、台端末５；玉数管理テーブル）
と、
前記遊技機にて遊技者が遊技していないことに基づく第１所定条件の成立（総賞球玉数、総貸出玉数、総返却玉数、総払出玉数、総計数玉数、総アウト玉数のいずれもが変化していないこと）時からの経過時間を計時する経過時間計時手段（整理判定タイマ）と、
前記経過時間計時手段により計時される経過時間が所定の経過期間（判定時間）となるまでに前記遊技機にて遊技者が遊技していることに基づく第２所定条件が成立したか否か（総賞球玉数、総貸出玉数、総返却玉数、総払出玉数、総計数玉数、総アウト玉数のいずれかが変化することにより整理判定タイマがタイマアップしたか否か）を判定する判定手段（制御ユニット３２８、制御マイコン（ＭＰＵ）６０）と、
前記判定手段にて、前記経過時間計時手段により計時される経過時間が所定の経過期間となるまでに前記第２所定条件が成立していないと判定されたとき（整理判定タイマがタイマアップしたとき）に、前記第１特定手段にて特定された付与遊技媒体数と前記第２特定手段にて特定された供給遊技媒体数との合計数（合計Ａ）と、前記第３特定手段にて特定された使用遊技媒体数と前記第４特定手段にて特定された獲得遊技媒体数との合計数（合計Ｂ）と、の差である差遊技媒体数（差数＝合計Ａ−合計Ｂ）が予め定められた差（差閾値）よりも大きいことを条件に、当該遊技用装置に対応する前記遊技機が整理対象台である旨を報知する報知手段（カードユニット３、ホールコンピュータ１４０）と、
前記判定手段にて、前記経過時間計時手段により計時される経過時間が所定の経過期間となるまでに前記第２所定条件が成立したと判定されたときに、前記経過時間計時手段により計時される経過時間をリセットするリセット手段と、
を備えることを特徴としている。
この特徴によれば、経過時間が所定の経過期間となるまでに第２所定条件が成立していないと判定されたものの内、遊技媒体貯留手段に存在する遊技媒体数となる差遊技媒体数が予め定められた差よりも大きいもの、つまり、遊技媒体貯留手段に遊技媒体数が存在することで整理が必要とされているものが報知される一方、遊技媒体貯留手段に貯留されている遊技媒体が全て遊技に使用されて単に遊技が終了したものは報知されることがなく、これら単に遊技が終了した遊技機についての確認作業を省くことができるので、これら整理対象遊技機の確認作業等の作業負担を低減することができる。
【手続補正３】
【補正対象書類名】明細書
【補正対象項目名】０００７
【補正方法】変更
【補正の内容】
【０００７】
本発明の請求項２に記載の遊技用装置は、
遊技媒体（パチンコ玉）を貯留可能な遊技媒体貯留手段（上皿２３、下皿２４）と、該遊技媒体貯留手段に貯留される遊技媒体を用いて遊技を行うことで付与条件（入賞）が成立したときに、該付与条件に対応する所定数の遊技媒体（賞球）を前記遊技媒体貯留手段に払い出す付与手段（玉切り払い出し装置）とを有する遊技機（パチンコ機２）に１対１に対応して設けられ、前記遊技媒体貯留手段から遊技に使用されることなく排出された遊技媒体数（獲得玉数）を計数する遊技用装置（カードユニット３）であって、
前記計数した遊技媒体数である獲得遊技媒体数（総計数玉数）を特定するための獲得遊技媒体数特定手段（ＲＡＭ３２８ｂ；玉情報テーブル）と、
前記付与手段により払い出された遊技媒体数である付与遊技媒体数（総賞球玉数）を特定可能な情報（賞球信号）を入力するための付与遊技媒体数情報入力手段（賞球信号が入力される入力端子）と、
前記付与条件とは異なる供給条件の成立（プリペイド残額、貯玉数、持玉数（計数済玉数）のいずれかの遊技用価値が存在すること）に応じて前記遊技媒体貯留手段に払い出された遊技媒体数である供給遊技媒体数（総貸出玉数と総返却玉数と総払出玉数との合計Ａ）を特定可能な情報（パチンコ機２からのＥＸＳ信号）を入力するための供給遊技媒体数情報入力手段（台端末貸出完了信号（ＥＸＳ）等の信号を送受可能とされたインターフェイス）と、
前記遊技媒体貯留手段から遊技に使用された遊技媒体数である使用遊技媒体数（総アウト玉数）を特定可能な情報（アウト玉計数信号）を入力するための使用遊技媒体数情報入力手段（アウト玉計数信号が入力される入力端子）と、
前記遊技機にて遊技者が遊技していないことに基づく第１所定条件の成立（総賞球玉数、総貸出玉数、総返却玉数、総払出玉数、総計数玉数、総アウト玉数のいずれもが変化していないこと）時からの経過時間を計時する経過時間計時手段（制御ユニット３２８；整理判定タイマ）と、
前記経過時間計時手段により計時される経過時間が所定の経過期間（判定時間）となるまでに前記遊技機にて遊技者が遊技していることに基づく第２所定条件が成立したか否か（総賞球玉数、総貸出玉数、総返却玉数、総払出玉数、総計数玉数、総アウト玉数のいずれかが変化することにより整理判定タイマがタイマアップしたか否か）を判定する判定手段（制御ユニット３２８）と、
前記判定手段にて、前記経過時間計時手段により計時される経過時間が所定の経過期間となるまでに前記第２所定条件が成立していないと判定されたとき（整理判定タイマがタイマアップしたとき）に、前記付与遊技媒体数情報入力手段に入力された情報から特定される付与遊技媒体数と前記供給遊技媒体数情報入力手段に入力された情報から特定される供給遊技媒体数との合計数（合計Ａ）と、使用遊技媒体数情報入力手段に入力された情報から特定される使用遊技媒体数と前記獲得遊技媒体数特定手段にて特定された獲得遊技媒体数との合計数（合計Ｂ）と、の差である差遊技媒体数（差数＝合計Ａ−合計Ｂ）が予め定められた差（差閾値）よりも大きいことを条件に、対応する前記遊技機が整理対象台である旨を報知するための出力処理（一次報知処理）を行う報知出力処理手段（制御ユニット３２８）と、
前記判定手段にて、前記経過時間計時手段により計時される経過時間が所定の経過期間となるまでに前記第２所定条件が成立したと判定されたときに、前記経過時間計時手段により計時される経過時間をリセットするリセット手段と、
を備えることを特徴としている。
この特徴によれば、経過時間が所定の経過期間となるまでに第２所定条件が成立していないと判定されたものの内、遊技媒体貯留手段に存在する遊技媒体数となる差遊技媒体数が予め定められた差よりも大きいもの、つまり、遊技媒体貯留手段に遊技媒体数が存在することで整理が必要とされているものが出力処理されることにより報知される一方、遊技媒体貯留手段に貯留されている遊技媒体が全て遊技に使用されて単に遊技が終了したものは出力処理されないので報知されることがなく、これら単に遊技が終了した遊技機についての確認作業を省くことができるので、これら整理対象遊技機の確認作業等の作業負担を低減することができる。
【手続補正４】
【補正対象書類名】明細書
【補正対象項目名】０００８
【補正方法】変更
【補正の内容】
【０００８】
本発明の請求項３に記載の遊技用管理装置は、
遊技媒体（パチンコ玉）を貯留可能な遊技媒体貯留手段（上皿２３、下皿２４）と、該遊技媒体貯留手段に貯留される遊技媒体を用いて遊技を行うことで付与条件（入賞）が成立したときに、該付与条件に対応する所定数の遊技媒体を前記遊技媒体貯留手段に払い出す付与手段（玉切り払い出し装置）とを有する遊技機（パチンコ機２）に関する情報（台データ）を管理する遊技用管理装置（ホールコンピュータ１４０、台端末５）であって、
遊技機に１対１に対応して設けられた遊技用装置（カードユニット３）にて計数され、前記遊技媒体貯留手段から遊技に使用されることなく排出された遊技媒体数である獲得遊技媒体数（総計数玉数）を特定可能な情報（獲得玉計数信号）を入力するための獲得遊技媒体数情報入力手段（台端末５、入力ポート５８）と、
前記付与手段により払い出された遊技媒体数である付与遊技媒体数（総賞球玉数）を特定可能な情報（賞球信号）を入力するための付与遊技媒体数情報入力手段（台端末５、入力ポート５８）と、
前記付与条件とは異なる供給条件の成立（プリペイド残額、貯玉数、持玉数（計数済玉数）のいずれかの遊技用価値が存在すること）に応じて前記遊技媒体貯留手段に払い出された遊技媒体数である供給遊技媒体数（総貸出玉数と総返却玉数と総払出玉数との合計Ａ）を特定可能な情報（貸出信号、返却信号、払出信号）を入力するための供給遊技媒体数情報入力手段（台端末５、入力ポート５８）と、
前記遊技媒体貯留手段から遊技に使用された遊技媒体数である使用遊技媒体数（総アウト玉数）を特定可能な情報（アウト玉計数信号）を入力するための使用遊技媒体数情報入力手段（台端末５、入力ポート５８）と、
前記遊技機にて遊技者が遊技していないことに基づく第１所定条件の成立（総賞球玉数、総貸出玉数、総返却玉数、総払出玉数、総計数玉数、総アウト玉数のいずれもが変化していないこと）時からの経過時間を計時する経過時間計時手段（制御マイコン（ＭＰＵ）６０；整理判定タイマ）と、
前記経過時間計時手段により計時される経過時間が所定の経過期間（判定時間）となるまでに前記遊技機にて遊技者が遊技していることに基づく第２所定条件が成立したか否か（総賞球玉数、総貸出玉数、総返却玉数、総払出玉数、総計数玉数、総アウト玉数のいずれかが変化することにより整理判定タイマがタイマアップしたか否か）を判定する判定手段（制御マイコン（ＭＰＵ）６０）と、
前記判定手段にて、前記経過時間計時手段により計時される経過時間が所定の経過期間となるまでに前記第２所定条件が成立していないと判定されたとき（整理判定タイマがタイマアップしたとき）に、前記付与遊技媒体数情報入力手段に入力された情報から特定される付与遊技媒体数と前記供給遊技媒体数情報入力手段に入力された情報から特定される供給遊技媒体数との合計数（合計Ａ）と、前記使用遊技媒体数情報入力手段に入力された情報から特定される使用遊技媒体数と前記獲得遊技媒体数情報入力手段に入力された情報から特定される獲得遊技媒体数との合計数（合計Ｂ）と、の差である差遊技媒体数（差数＝合計Ａ−合計Ｂ）が予め定められた差（差閾値）よりも大きいことを条件に、当該遊技用装置に対応する前記遊技機が整理対象台である旨を報知するための出力処理（１次報知処理）を行う報知出力処理手段（ＣＰＵ１４２）と、
前記判定手段にて、前記経過時間計時手段により計時される経過時間が所定の経過期間となるまでに前記第２所定条件が成立したと判定されたときに、前記経過時間計時手段により計時される経過時間をリセットするリセット手段と、
を備えることを特徴としている。
この特徴によれば、経過時間が所定の経過期間となるまでに第２所定条件が成立していないと判定されたものの内、遊技媒体貯留手段に存在する遊技媒体数となる差遊技媒体数が予め定められた差よりも大きいもの、つまり、遊技媒体貯留手段に遊技媒体数が存在することで整理が必要とされているものが出力処理されることにより報知される一方、遊技媒体貯留手段に貯留されている遊技媒体が全て遊技に使用されて単に遊技が終了したものは出力処理されないので報知されることがなく、これら単に遊技が終了した遊技機についての確認作業を省くことができるので、これら整理対象遊技機の確認作業等の作業負担を低減することができる。
【手続補正５】
【補正対象書類名】明細書
【補正対象項目名】００１４
【補正方法】変更
【補正の内容】
【００１４】
本発明の請求項８に記載の遊技用システムは、請求項１または４に記載の遊技用システムであって、
前記遊技用装置（カードユニット３）は、
前記計数された獲得遊技媒体数（計数済玉数（持玉数））または遊技者が所有する遊技媒体の貸出に使用可能な貸出用価値（プリペイド残額、貯玉数）の少なくとも一方から成る価値であって、前記遊技媒体貯留手段への遊技媒体の払い出しに使用可能な遊技用価値を記憶するための遊技用価値記憶手段（３２８ｂ；カードテーブル）と、
前記遊技用価値記憶手段に記憶されている遊技用価値が存在することを前記供給条件として、該遊技用価値の少なくとも一部を対応する前記遊技機の前記遊技媒体貯留手段に払い出すための供給処理（貸出処理、返却処理、払出処理）と、前記遊技用価値記憶手段に記憶されている遊技用価値から該払い出しに使用した遊技用価値を減算更新する減算更新処理（カードテーブルにおけるプリペイド残額、貯玉数、計数済玉数を減算更新する処理）とを行う供給手段（制御ユニット３２８）と、
前記遊技用価値記憶手段に記憶されている遊技用価値を特定可能であって、個々の記録媒体を識別可能な記録媒体識別情報（カードＩＤ）が記録された記録媒体（ビジターカード、会員カード）、を排出（返却、発行）する記録媒体排出手段（カードリーダライタ３２７）と、
前記記録媒体を受付けて該記録媒体の記録媒体識別情報を少なくとも読み出すとともに、該受付けた記録媒体から特定される遊技用価値を前記遊技用価値記憶手段に記憶する記録媒体処理手段（制御ユニット３２８、カードリーダライタ３２７）と、
を備え、
前記遊技用装置における新たな記録媒体の受付けに応じて前記記録媒体処理手段にて読み出された記録媒体識別情報（カード受付け通知に含まれるカードＩＤ）に基づいて、該記録媒体識別情報が記録された記録媒体を最後に排出した遊技用装置（玉管理テーブルの排出ＩＤにカード受付け通知に含まれるカードＩＤが記録されている台番号のパチンコ機２に対応するカードユニット３）を特定する遊技用装置特定手段（ＣＰＵ１４２、掛け持ち判定処理；Ｓｋ２）と、
前記遊技用装置特定手段にて特定された遊技用装置に対応する遊技機（Ｓｋ２のステップで特定された台番号のパチンコ機２）の前記差遊技媒体数（差数＝合計Ａ−合計Ｂ）が予め定められた差（差閾値）よりも大きいか否かを判定する掛け持ち判定手段（ホールコンピュータ１４０）と、
を備えることを特徴としている。
この特徴によれば、遊技者が、遊技媒体貯留手段に遊技媒体が存在する状態で他の遊技機に移動したこと、つまり、遊技機が掛け持ちされている可能性が高いことが判定されるので、これらの掛け持ちの発生を迅速に発見して対処することができる。
【手続補正６】
【補正対象書類名】明細書
【補正対象項目名】００１５
【補正方法】変更
【補正の内容】
【００１５】
本発明の請求項９に記載の遊技用管理装置は、請求項３または６に記載の遊技用管理装置であって、
前記遊技用装置（カードユニット３）は、前記計数された獲得遊技媒体数（計数済玉数（持玉数））または遊技者が所有する遊技媒体の貸出に使用可能な貸出用価値（プリペイド残額、貯玉数）の少なくとも一方から成る価値であって、前記遊技媒体貯留手段への遊技媒体の払い出しに使用可能な遊技用価値を特定可能であって、個々の記録媒体を識別可能な記録媒体識別情報（カードＩＤ）が記録された記録媒体（ビジターカード、会員カード）を排出（返却、発行）するとともに、排出された記録媒体を受付けて該記録媒体の記録媒体識別情報を少なくとも読み出し、
前記遊技用装置にて前記記録媒体から読み出された記録媒体識別情報を該記録媒体の受付けに応じて入力するための記録媒体識別情報入力手段（カード受付け通知を管理コンピュータ１５０から受信する通信部１４９）と、
前記記録媒体識別情報入力手段から入力される記録媒体識別情報に基づいて、該記録媒体識別情報が記録された記録媒体を最後に排出した遊技用装置（玉管理テーブルの排出ＩＤにカード受付け通知に含まれるカードＩＤが記録されている台番号のパチンコ機２に対応するカードユニット３）を特定する遊技用装置特定手段（ＣＰＵ１４２、掛け持ち判定処理；Ｓｋ２）と、
前記遊技用装置特定手段にて特定された遊技用装置に対応する遊技機（Ｓｋ２のステップで特定された台番号のパチンコ機２）の前記差遊技媒体数（差数＝合計Ａ−合計Ｂ）が予め定められた差（差閾値）よりも大きいか否かを判定する掛け持ち判定処理を行う掛け持ち判定処理手段（ＣＰＵ１４２）と、
を備えることを特徴としている。
この特徴によれば、遊技者が、遊技媒体貯留手段に遊技媒体が存在する状態で他の遊技機に移動したこと、つまり、遊技機が掛け持ちされている可能性が高いことが判定されるので、これらの掛け持ちの発生を迅速に発見して対処することができる。